(57)【要約】【課題】故障中のシャッタ機構を無理に作動させることで、シャッタ機構が破損したり、ローディングモータが焼損したりすることを防止すること。【解決手段】シャッタ機構４５が正常な場合には、ローディングスライダ３７によって連動レバー５０が固定ピン５１を中心にして反時計方向に回転する。この連動レバー５０は、スライドプレート４６を介して遮蔽プレート４８を移動する。この遮蔽プレート４８は、固定カムプレート４７のカム溝４７ａ，４７ｂに沿って上昇して、スロット３ａを閉鎖する。シャッタ機構４５の異常によってスライドプレート４６が動かない場合には、連動レバー５０は、ピン４６ｂを中心にして反時計方向に回転し、ローディングスライダ３７の作用力をスライドプレート４６に伝達しない。【選択図】図５
2009016003.tif 000002
【特許請求の範囲】
【請求項１】
モータで駆動されるディスク搬送手段を備え、スロットを通して、ディスクを本体ケース内に搬入し又は本体ケース外へ搬出するディスク装置において、
前記スロットの少なくとも一部を閉鎖する閉じ状態と、スロットを開く開き状態とに変位可能なシャッタ手段と、
前記ディスク搬送手段に連動して、前記ディスクの搬入時にはディスクがスロットを通過した後にシャッタ手段を閉じ状態とし、前記ディスクの搬出時にはディスクがスロットを通過する前にシャッタ手段を開き状態にする連動手段と、
前記シャッタ手段が閉じ状態に変位することができない異常時に、前記連動手段による連動を解除し、ディスク搬送手段の動作がシャッタ手段に伝達されないようにする連動解除手段と、を備えたことを特徴とするディスク装置。
【請求項２】
前記連動手段は、一端がディスク搬送手段に連結し、他端がシャッタ手段に連結された連動レバーであり、
前記連動解除手段は、連動レバーの途中に形成した長孔と、この長孔に嵌合する固定ピンと、前記長孔の一端が固定ピンに接触するように連動レバーを付勢するバネとを備え、通常は長孔の一端が固定ピンに接触した状態で固定ピンを中心にして連動レバーが回転し、前記異常時に連動レバーの他端を中心にして連動レバーが回転し、前記異常時に連動レバーの他端を中心にして、連動レバーの長孔の他端が固定ピンに当接するように連動レバーが移動することを特徴とする請求項１記載のディスク装置。
【請求項３】
前記異常時に連動レバーが他端を中心にして回転していることを検知する検知手段を設けたことを特徴とする請求項２記載のディスク装置。
【請求項４】
前記ディスク搬送手段は、前記モータによってスライドするローディングスライダと、このローディングスライダによって駆動され、前記ディスクを保持して揺動する複数のアームとを備え、
前記連動レバーの一端にはカムピンが設けられ、このカムピンがローディングスライダに形成されたカム溝に嵌合していることを特徴とする請求項２又は３記載のディスク装置。
【請求項５】
前記シャッタ手段は、前記連動レバーの他端に連結され、前記スロットに沿ってスライドするスライドプレートと、このスライドプレート上に形成され、前記スロットに対して直交する方向に延びた連結溝と、前記スロットに対して交差する斜め方向に平行に延びた第１及び第２のカム溝が形成された固定カムプレートと、前記連結溝及び第１のカム溝に嵌合する第１のカムピンと、前記第２のカム溝に嵌合する第２のカムピンと、前記第１及び第２のカムピンが植設され、前記第１及び第２のカム溝に沿って移動してスロットを開閉する遮蔽プレートと、から構成されていることを特徴とする請求項２乃至４何れか記載のディスク装置。
【発明の詳細な説明】
【技術分野】
【０００１】
本発明は、光ディスクに記録された情報の記録や再生を行うディスク装置に関し、更に詳しくは、光ディスクの二重装填を防止するシャッタ機構を備えたディスク装置に関するものである。
【０００２】
コンピュータやカーナビ装置などの各種の情報機器には、多量の情報をストアすることができる光ディスク（例えば、ＣＤ−Ｒ／ＲＷ、ＤＶＤ−Ｒ／−ＲＷ／ＲＡＭ／＋Ｒ／＋ＲＷなど）が、記録媒体として用いられる。この光ディスク（以下、単にディスクという）は、ディスク装置に装填され、情報の記録と再生とが行われる。一般に、情報機器に内蔵されているディスク装置には、ディスクを収納したトレイを出し入れするトレイタイプと、スロットを通してディスクを出し入れするスロットインタイプとがある。このスロットインタイプのディスク装置では、ディスクをフロントベゼルのスロットに差し込むと、ディスク搬送機構（ディスクローディング機構）が自動的に作動してディスクの搬入（ローディング）が行われる（例えば、特許文献１参照）。
【０００３】
ディスク装置は、ディスクを高速回転させることで情報の記録／再生を行うものであるから、記録／再生中に別のディスクが差し込まれると、ディスクが破損したり、ディスク装置の内部機構が損傷を受けたりすることがある。そこで、スロットを開閉するための遮蔽プレートを設け、複数枚のディスクが挿入されることを防止したディスク装置が知られている（例えば、特許文献２参照）。この遮蔽プレートは、ディスク搬送機構や、ディスクを保持するチャッキング機構などと連動している。
【特許文献１】特開２００６−２２８３５３号公報
【特許文献２】特開２００７−１０２８８２号公報
【発明の開示】
【発明が解決しようとする課題】
【０００４】
しかしながら、異物の侵入など何らかの不具合により遮蔽プレートが移動できないことがある。このように遮蔽プレートに異常が発生した場合には、ディスク搬送機構を駆動するモータが焼損したり、あるいは無理な力が遮蔽プレートに作用するため、遮蔽プレート、又は遮蔽プレートとディスク搬送機構とを連動させるための連動機構が破損したりする。
【０００５】
本発明は、遮蔽プレートに異常が発生した場合でも、モータの焼損や内部機構の破損を防止することができるディスク装置を提供することを目的とするものである。
【課題を解決するための手段】
【０００６】
上記目的を達成するために、本発明のディスク装置は、スロットの少なくとも一部を閉鎖する閉じ状態と、スロットを開く開き状態とに変位可能なシャッタ手段と、ディスク搬送手段に連動して、ディスクの搬入時にはディスクがスロットを通過した後にシャッタ手段を閉じ状態とし、ディスクの搬出時にはディスクがスロットを通過する前にシャッタ手段を開き状態にする連動手段と、シャッタ手段が閉じ状態に変位することができない異常時に、連動手段による連動を解除し、ディスク搬送手段の動作がシャッタ手段に伝達されないようにする連動解除手段と、を備えている。
【０００７】
請求項２記載の発明では、連動手段としては、一端がディスク搬送手段に連結し、他端がシャッタ手段に連結された連動レバーが用いられている。また、連動解除手段は、連動レバーの途中に形成した長孔と、この長孔に嵌合する固定ピンと、長孔の一端が固定ピンに接触するように連動レバーを付勢するバネとを備えている。通常は長孔の一端が固定ピンに接触した状態で固定ピンを中心にして連動レバーが回転し、異常時に連動レバーの他端を中心にして、連動レバーの長孔の他端が固定ピンに当接するように連動レバーが移動する。
【０００８】
請求項３記載の発明では、シャッタ手段の異常時に連動レバーが他端を中心にして回転していることを検知する検知手段を設けている。
【０００９】
請求項４記載の発明では、ディスク搬送手段が、モータによってスライドするローディングスライダと、このローディングスライダによって駆動され、ディスクを保持して揺動する複数のアームとから構成されている。また、連動レバーの一端にはカムピンが設けられ、このカムピンがローディングスライダに形成されたカム溝に嵌合している。
【００１０】
請求項５記載の発明では、シャッタ手段は、スライドプレート、固定カムプレート、遮蔽プレートから構成されている。スライドプレートは、連動レバーの他端に連結され、スロットに沿ってスライドする。このスライドプレートには、スロットに対して直交する方向に延びた連結溝が形成されている。固定カムプレートには、スロットに対して交差する斜め方向に平行に延びた第１及び第２のカム溝が形成されている。遮蔽プレートは、連結溝及び第１のカム溝に嵌合する第１のカムピンと、第２のカム溝に嵌合する第２のカムピンと、第１及び第２のカムピンが植設され、第１及び第２のカム溝に沿って移動してスロットを開閉する。
【発明の効果】
【００１１】
本発明は、シャッタ手段に異常が発生し、ディスク搬送手段に連動してシャッタ手段が移動しない場合には、ディスク搬送手段とシャッタ手段との連動を解除し、又はディスク搬送手段を駆動するためのモータを逆転又は停止させるから、ディスク搬送手段を駆動するモータが焼損したり、あるいはシャッタ手段などが破損したりすることを防止することができる。
【００１２】
また、一端がディスク搬送手段に連結し、他端がシャッタ手段に連結された連動レバーを設け、この途中に形成した長孔を固定ピンに嵌合させ、通常は長孔の一端が固定ピンに接触した状態で固定ピンを中心にして連動レバーが回転するようにバネ付勢しておき、シャッタ手段の異常時には、シャッタ手段の連結位置を中心にして、連動レバーが移動するようにしたから、簡単な構造で連動を解除することができる。
【発明を実施するための最良の形態】
【００１３】
図１において、ディスク装置１は、本体ケース２を備え、その前面にベゼル３が取り付けられている。このベゼル３には、ディスクＤ１を挿入するスロット３ａと、ディスクＤ１のイジェクトを指示するための押し釦４と、ディスク装置１の動作状態を表示するためのインジケータ５が設けられている。ディスクＤ１は、チャッキングのための中心孔Ｄ１ａが形成されている。なお符号２ａは、取外し可能な天板である。
【００１４】
図２及び図３において、本体ケース２を上下に仕切るように、ベースパネル６が固定されている。このベースパネル６には、中央から斜め方向に延びた開口６ａが形成されている。この開口６ａ内には、昇降フレーム７が配置され、既知の緩衝支持構造８により複数箇所でベースパネル６に取り付けられている。ディスクＤ１を本体ケース２へ搬入または搬出するときに、昇降フレーム７は、フロントベゼル３側を支軸とし、装置中央に位置する先端部が上下方向に揺動する。また、昇降フレーム７には、中央から斜め方向に延びた開口７ａが形成されている。
【００１５】
昇降フレーム７の先端には、ドライブユニット１０が取り付けられている。このドライブユニット１０は、スピンドルモータ１１、ターンテーブル１２、チャッキングヘッド１３を備えている。スピンドルモータ１１は、昇降フレーム７の背面に固定され、その駆動軸にターンテーブル１２が固定されている。チャッキングヘッド１３は、ターンテーブル１２と一体に形成されており、昇降フレーム７が上昇したときに、チャッキング位置にあるディスクＤ１の中心孔Ｄ１ａ（図１参照）に入り込む。チャッキングヘッド１３には、バネで付勢された複数の係止爪１３ａが設けられており、ディスクＤ１を着脱可能に係止する。チャッキング解除ピン１４は、昇降フレーム７が下降するときに、ディスクＤ１を受け止めてチャッキングヘッド１３から外す。
【００１６】
また、昇降フレーム７にはヘッドユニット１７が取り付けられている。このヘッドユニット１７は、昇降フレーム７の開口７ａから露出したキャリッジ１８と、これに保持された光ピックアップ１９とから構成されている。情報の記録／再生時には、キャリッジ１８が開口７ａに沿って移動する。
【００１７】
ベースパネル６上には、ディスクＤ１の搬入及び搬出を行うためのディスク支持アーム２０と、スロット３ａから挿入されたディスクＤ１を本体ケース２内へ搬入するための誘引アーム２１とが配置されている。このディスク支持アーム２０は、ホルダ２０ａでディスクＤ１の前端部を保持し、軸２２を中心にして揺動する。誘引アーム２１は、フランジ付ローラ２１ａでディスクＤ１の後端部を保持し、軸２３を中心にして揺動する。この誘引アーム２１を揺動させるために、リンクレバー２４が連結されている。このリンクレバー２４は、ピン２４ａがカム溝２５に沿って移動する。
【００１８】
なお、図３には、ディスクＤ１がイジェクト位置にある場合、ディスクＤ１が自動搬入の開始位置にある場合、ディスクＤ１がチャッキング位置にある場合がそれぞれ示されている。
【００１９】
図４において、光ピックアップ１９を保持したキャリッジ１８は、ガイドシャフト２７，２８に支持されている。これらのガイドシャフト２７，２８は、その両端が昇降フレーム７の背面に固定されている。スレッドモータ２９の回転は、ギアトレイン３０を介して、スクリュシャフト３１に伝達される。このスクリュシャフト３１の回転により、キャリッジ１８が前進／後退する。
【００２０】
ベースパネル６の背面には、ローディングモータ３４が配置され、このローディングモータ３４の回転が、ギアトレイン３５を介してディスク搬送機構３６に伝達され、ディスクＤ１の搬入又は搬出が行われる。ディスク搬送機構３６の主要部は、ローディングスライダ３７、ディスク支持アーム２０、誘引アーム２１である。
【００２１】
前記ローディングスライダ３７は、端部に形成したラックギア３７ａがギアトレイン３５の最終段のギアに噛合しており、ローディングモータ３４の回転により、本体ケース２の側壁に沿って前進／後退する。ローディングスライダ３７がベゼル３から離れる方向に移動（後退）するときに、ディスクＤ１がケース本体２内に搬入され、前進するときに本体ケース２から搬出される。
【００２２】
ローディングスライダ３７は、ラックギア３７ａの横に、シャッタ機構４５（図５参照）を開閉するためのカム溝３７ｂと、リンクレバー２４のピン２４ａを押すための溝３７ｃと、リンクレバー３８を作動させるためのカム溝３７ｄが形成されている。溝３７ｃは横方向に延びており、ピン２４ａをローディングスライダ３７の移動方向に押すことにより、ピン２４ａをカム溝２５に沿って移動させる。
【００２３】
リンクレバー３８は、ピン３８ａがローディングスライダ３７のカム溝３７ｄに嵌合しており、ローディングスライダ３７が移動するときに、軸３９を中心にして回転する。このリンクレバー３８には、リンクアーム４０を介してベース部２０ｂと連結されている。このベース部２０ｂは、ベースプレート６の表面に配置されたディスク支持アーム２０と、軸２２で一体的に連結されている。ベース部２０ｂの周囲に、スイッチ４１が配置されており、ディスクＤ１の押し込みでディスク支持アーム２０が回転されたときにＯＮする。このスイッチ４１からの信号で、制御回路（図示せず）はローディングモータ３４を回転させ、ディスクＤ１の自動搬入を開始する。
【００２４】
前記リンクアーム４０は、第１アーム４０ａと、この第１アーム４０ａに対してスライド可能に連結された第２アーム４０ｂと、これらのアーム４０ａ，４０ｂを最短状態に保つためのバネ４０ｃとから構成されている。このスライド可能なリンクアーム４０により、ディスクＤ１がユーザによって本体ケース２内に押し込まれている間、すなわち自動搬入が開始されるまで、リンクレバー３８を作動させることなく、ディスク支持アーム２０が揺動可能となる。
【００２５】
図５において、シャッタ機構４５は、スライドプレート４６、固定カムプレート４７、遮蔽プレート４８から構成されている。スライドプレート４６は、スロット３ａの下方に位置し、スロット３ａに沿ってスライドする。また、スライドプレート４６は、折り曲げ部４６ａ上にピン４６ｂと、上下方向に延びた長孔４６ｃとが形成されている。固定カムプレート４７は、本体ケース２などに固定されており、斜め方向に延びた一対のカム溝４７ａ，４７ｂが形成されている。遮蔽プレート４８は、スライドプレート４６の長孔４６ｃを介して固定カムプレート４７のカム溝４７ａに嵌合するカムピン４８ａと、固定カムプレート４７のカム溝４７ｂに嵌合するカムピン４８ｂが設けられている。この遮蔽プレート４８は、スライドプレート４６が矢線方向にスライドすると、スロット３ａの一部を閉鎖する閉じ位置と、スロット３ａから退避した開き位置との間で上下方向に移動し、ディスクＤ１の二重装填を防止する。
【００２６】
連動レバー５０は、ディスクＤ１の搬入及び搬出に連動してシャッタ機構４５を作動させる。この連動レバー５０は、長孔５０ａが固定ピン５１に嵌合している。また、連動レバー５０は、その一端に設けたカムピン５０ｂがローディングスライダ３７のカム溝３７ｂに嵌合し、他端に形成した孔５０ｃがスライドプレート４６のピン４６ｂに嵌合している。
【００２７】
また、連動レバー５０は、その折り曲げ片５０ｄにバネ５２の一端がかけられ、通常は長孔５０ａの一方の端が固定ピン５１に当たるように付勢されている。このバネ５２の他端は、本体ケース２内に取り付けた固定突起５３にかけられている。
【００２８】
次に図６乃至図８を参照して上記実施形態の作用について説明する。ディスクＤ１の挿入前には、図６（Ａ）に示すように、遮蔽プレート４８は、スロット３ａよりも下降した開き位置にセットされ、ディスクＤ１の挿入を可能にしている。
【００２９】
図３及び図４に示すように、ディスクＤ１がベゼル３のスロット３ａから挿入されると、ディスクＤ１の先端側がディスク支持アーム２０のホルダ２０ａに支持される。このディスクＤ１の押込みに応じて、リンクアーム４０を伸長しながらディスク支持アーム２０がベース部２０ｂとともに、軸２２を中心にして図４において時計方向に回転する。
【００３０】
ディスク支持アーム２０が、更に押し込まれると、ベース部２０ｂがスイッチ４１をＯＮにする。このスイッチ４１の信号に基づいて、ローディングモータ３４が回転を開始する。このローディングモータ３４の回転は、ギアトレイン３５を介してローディングスライダ３７に伝達される。ローディングスライダ３７は、ベゼル３から離れる方向（前進方向）に移動する。
【００３１】
ローディングスライダ３７が前進すると、溝３７ｃによってリンクレバー２４のピン２４ａが押されるため、このピン２４ａがカム溝２５に沿って移動する。これにより、リンクレバー２４が移動するため、誘引アーム２１が軸２３を支点にして図３において時計方向に揺動する。この誘引アーム２１は、その先端に取り付けたフランジ付ローラ２１ａがディスクＤ１の後端部を押す。
【００３２】
また、ローディングスライダ３７は、カム溝３７ｄによってリンクレバー３８を図４において時計方向に回転する。このリンクレバー３８の回転は、リンクアーム４０を介してベース部２０ｂに伝達され、ディスク支持アーム２０を図４において時計方向に回転させる。これにより、ディスクＤ１は、ディスク支持アーム２０と誘引アーム２１とで保持されて、本体ケース２内に搬入される。
【００３３】
図３に示すように、ディスクＤ１がチャッキング位置に移動すると、ディスクＤ１の中心孔Ｄ１ａがチャッキングヘッド１３と一致する。次に、ローディングスライダ３７に連動して昇降フレーム７が上昇し、チャッキングヘッド１３がディスクＤ１の中心孔Ｄ１ａに入り込み、チャッキング爪１３ａによってディスクＤ１がチャッキングされる。ディスクＤ１は、チャッキングヘッド１３で押し上げられた際に、天板２ａの突起で受け止められる。チャッキング後に、ディスクＤ１が天板２ａから離れるように、昇降フレーム７が僅かに下降する。
【００３４】
チャッキング動作中は、ディスク支持アーム２０と誘引アーム２１とが停止しているが、チャッキングが完了すると、ローディングスライダ３７の最後のストロークでディスクＤ１から離れてその保持を解除する。このディスク支持アーム２０と誘引アーム２１とがディスクＤ１の保持を解除するタイミングで、ローディングスライダ３７がスイッチ（図示せず）をＯＮにするから、ローディングモータ３４が停止してディスクＤ１の搬入が終了する。
【００３５】
前記ディスクＤ１の搬入に連動して、シャッタ機構４５が作動する。すなわち、ディスクＤ１のチャッキングとほぼ同時に、ローディングスライダ３７のカム溝３７ｂによって、カムピン５０ｂが押されるから、連動レバー５０は、固定ピン５１を中心にして、図７（Ａ）に示す位置から、図７（Ｂ）に示す位置方向へ回転する。この連動レバー５０の回転により、スライダプレート４６が右方向に移動する。このスライドプレート４６には、長孔４６ｃとカムピン４８ａによって遮蔽プレート４８が連結されているから、スライドプレート４６と一緒に遮蔽プレート４８が移動する。
【００３６】
遮蔽プレート４８は、遮蔽プレート４８のカムピン４８ａ，４８ｂが固定カムプレート４７のカム溝４７ａ，４７ｂに嵌合しているから、図６（Ｂ）に示すように、遮蔽プレート４８が斜め上方に移動する。そして、ディスクＤ１のチャッキング完了時に、遮蔽プレート４８は、図６（Ｃ）に示す閉じ位置に移動する。これにより、スロット３ａの一部が閉鎖されているから、ディスクＤ１が本体ケース２内に装填しているときに、別のディスクが誤って装填されるのを防止する。
【００３７】
ディスクＤ１のチャッキングと、シャッタ機構４５によるスロット３ａの閉鎖が行われると、スピンドルモータ１１が回転する。このスピンドルモータ１１が回転すると、ターンテーブル１２とチャッキングヘッド１３とによって、ディスクＤ１が高速回転する。このディスクＤ１の高速回転中に、光ピックアップ１９がディスクＤ１の半径方向に移動して、情報の記録又は再生が行われる。
【００３８】
本体ケース２内に装填されたディスクＤ１を搬出する場合は、ベゼル３の押し釦４を操作するか、または情報機器からの指令がディスク装置１に送られる。ディスク装置１の制御回路（図示せず）は、まずスピンドルモータ１１を停止させ、次にローディングモータ３４を逆転させる。このローディングモータ３４の逆転により、ローディングスライダ３７がベゼル３に近づく方向（後退方向）に移動する。このローディングスライダ３７の後退が開始されると、連動レバー５０が時計方向に回転するから、図６（Ｂ）においてスライドプレート４６が左方向に移動する。このスライドプレート４６の移動に連動して遮蔽プレート４８が斜め下方に移動し、図６（Ａ）に示す開き位置に戻る。
【００３９】
また、ローディングスライダ３７の後退が開始されると、ディスク支持アーム２０と誘引アーム２１とが少し揺動して、ディスクＤ１の外周を保持する。次に、昇降プレート７が下降する。この下降中に、ディスクＤ１がチャッキング解除ピン１４で受け止められるから、ディスクＤ１がチャッキングヘッド１３から抜き出される。昇降プレート７の下降後に、ディスク支持アーム２０と誘引アーム２１とが再び揺動をし、図４に示すイジェクト位置までディスクＤ１を搬出する。
【００４０】
前述したように、ディスク搬送機構３６に連動して、シャッタ機構４５が作動する。しかし、シャッタ機構４５が故障している場合、あるいは２枚のディスクが一部重なった状態で誤ってスロット３ａに挿入されることがある。シャッタ機構４５が故障している場合に、例えば遮蔽プレート４８が図６（Ａ）に示す位置から、図６（Ｃ）に示す閉じ位置に移動させることができない。この場合でも、ローディングスライダ３７のカム溝３７ｂによって、連動レバー５０に反時計方向の回転力が与えられるが、連動レバー５０には長孔５０ａが形成されているため、連動レバー５０はバネ５２に抗してピン４６ｂを中心にして回転する。これより、連動レバー５０は、長孔５０ａの左端が固定ピン５１に接触している図８（Ａ）に示す状態から、長孔５０ａの右端が固定ピン５１に接触する図８（Ｂ）に示す状態に変位する。したがって、無理な力が連動レバー５０に作用することはないので、これを破損したりすることがない。また、ローディングモータ３４が過負荷となり、ローディングモータ３４を焼損するおそれもない。
【００４１】
また、２枚のディスクが一部重なった状態でスロット３ａに挿入された場合には、遮蔽プレート４８がディスクに当たるまでは、連動レバー５０は固定ピン５１を中心に回転する。遮蔽プレート４８の上端がディスクに当たると、スライドプレート４６の移動が阻止される。この場合には、前述したように、連動レバー５０がピン４６ｂを中心にして反時計方向に回転する。これにより、無理な力が連動レバー５０やシャッタ機構４５に作用しないから、これらが破損したり、ローディングモータ３４が焼損したりすることがない。
【００４２】
図９は、シャッタ機構４５の異常が検出されたときに、ディスクの搬入を中止して、ディスクを搬出する実施例を示すものである。シャッタ機構４５が正常な場合に、連動レバー５０は、ディスクＤ１の搬入時に固定ピン５１を中心にして反時計方向に回転し、そして異常時にはピン４６ｂを中心にして反時計方向に回転する。したがって、連動レバー５０のうち、長孔５０ａと孔５０ｃとの間の部分は、正常時と異常時とでは移動方向が異なる。この部分の移動から異常を検知するために、検出スイッチ５５が設けられている。シャッタ機構４５が異常のときには、連動レバー５０によって検出スイッチ５５がＯＮする。検出スイッチ５５のＯＮ信号で、インジケータ５が点滅するとともに、モータ制御回路５６は、ローディングモータ３４を逆転させる。
【００４３】
図１０に示すように、ローディングモータ３４が回転を開始すると、ディスクＤ１の自動搬入が開始される。この自動搬入中に、ディスクＤ１のチャッキングが開始されるのとほぼ同時に、ローディングスライダ３７によって連動レバー５０が回転される。シャッタ機構４５が正常の場合には、検出スイッチ５５がＯＮしないから、ローディングモータ３４が継続して回転する。そして、ディスクＤ１のチャッキングと、遮蔽プレート４８によるスロット３ａの閉鎖とが行われる。
【００４４】
シャッタ機構４５の異常時には、連動レバー５０がピン４６ｂを中心にして反時計方向に回転するから、検出スイッチ５５がＯＮする。この検出スイッチ５５がＯＮすると、モータ制御回路５６は、ローディングモータ３４の逆転を開始する。これにより、ディスクＤ１の搬出が開始され、ディスクＤ１がイジェクト位置へ戻される。また、シャッタ機構４５も図６（Ａ）に示す開き位置に戻る。このように、ディスクＤ１がイジェクト位置に戻されるから、シャッタ機構４５に異常が発生していることを知ることができる。
【００４５】
上記実施形態では、ディスクのチャッキングとほぼ同時にシャッタ機構の閉じ動作が開始されるが、ディスクの後端部がスロットを通過したときから、ディスクの搬入が完了するまでの間に、シャッタ機構の閉じ動作を行えばよい。また、シャッタ機構の異常時には、ローディングモータを逆転させているが、この代わりにローディングモータを停止させてもよい。更に、スロットを閉鎖する部材は、プレートの他に、アーム又はピンなどでもよい。
【図面の簡単な説明】
【００４６】
【図１】本発明を実施するディスク装置の外観斜視図である。
【図２】ディスク装置の内部を示す斜視図である。
【図３】ディスク装置の内部を示す上面図である。
【図４】ディスク装置の内部を示す下面図である。
【図５】シャッタ機構、連動レバー、ローディングスライダなどの構成を示す分解斜視図である。
【図６】シャッタ機構の前面図であり、（Ａ）は開き状態のときを、（Ｂ）は閉じている途中を、（Ｃ）は閉じ状態のときをそれぞれ示す。
【図７】正常時の連動レバーの動きを説明する図であり、（Ａ）は回転前を、（Ｂ）は回転後をそれぞれ示す。
【図８】異常時の連動レバーの動きを説明する図であり、（Ａ）は回転前を、（Ｂ）は回転後をそれぞれ示す。
【図９】別の実施例に係る連動レバーなどの構成を示す上面図である。
【図１０】別の実施例に係るローディングモータの駆動状態を説明するフローチャートである。
【符号の説明】
【００４７】
１  ディスク装置
２  本体ケース
３ａ  スロット
２０  ディスク支持アーム
２１  誘引アーム
３４  ローディングモータ（モータ）
３６  ディスク搬送機構（ディスク搬送手段）
３７  ローディングスライダ
３７ｂ  カム溝
４５  シャッタ機構（シャッタ手段）
４６  スライドプレート
４６ｃ  長孔（連結溝）
４７  固定カムプレート
４７ａ，４７ｂ  カム溝（第１，第２のカム溝）
４８  遮蔽プレート
４８ａ，４８ｂ  カムピン（第１，第２のカムピン）
５０  連動レバー（連動手段）
５０ａ  長孔
５０ｂ  カムピン
５１  固定ピン
５２  バネ
５５  検出スイッチ（検知手段）
Ｄ１  ディスク
【図１】
2009016003.tif 000003
【図２】
2009016003.tif 000004
【図３】
2009016003.tif 000005
【図４】
2009016003.tif 000006
【図５】
2009016003.tif 000007
【図６】
2009016003.tif 000008
【図７】
2009016003.tif 000009
【図８】
2009016003.tif 000010
【図９】
2009016003.tif 000011
【図１０】
2009016003.tif 000012